(57)【特許請求の範囲】
【請求項１】
複数の紙幣を鑑別する鑑別部と、
前記鑑別部による鑑別結果を基に、各紙幣に対しリジェクトエラーが発生したか否かを判断する判断部と、
前記リジェクトエラーのエラー回数をカウントするカウント部と、
前記カウント部によりカウントされるエラー回数に対してエラー回数の上限値を設定する設定部と、
前記エラー回数と、前記エラー回数の上限値とを比較し、前記エラー回数が、前記エラー回数の上限値を超えたとき、紙幣の入出金を伴う所定の処理を完了させるか否かをユーザに選択させ、前記ユーザから前記所定の処理の完了を受け付けた場合には、リジェクト紙幣以外の正常紙幣に関して前記所定の処理を完了させ、一方、前記ユーザから前記所定の処理の中止を受け付けた場合には、前記所定の処理を中止させる制御を行う制御部と
を有することを特徴とする取引装置。
【請求項２】
前記エラー回数の上限値は、所定のインタフェースを介して外部から設定を受け付けることを特徴とする請求項１に記載の取引装置。
【請求項３】
前記カウント部は、前記リジェクトエラーが連続して発生したときの連続エラー回数をカウントし、
前記設定部は、前記連続エラー回数の上限値を設定することを特徴とする請求項１に記載の取引装置。
【請求項４】
前記制御部は、前記連続エラー回数が、前記連続エラー回数の上限値を超えたとき、前記所定の処理を完了させる制御を行うことを特徴とする請求項３に記載の取引装置。
【請求項５】
前記所定の処理は、入金処理又は出金処理を含むことを特徴とする請求項１〜４のいずれかに記載の取引装置。
【請求項６】
前記設定部は、前記エラー回数が、前記エラー回数の上限値を超えたとき、再度前記所定の処理を行うか否かを設定する再処理設定手段を有することを特徴とする請求項１〜５のいずれかに記載の取引装置。
【発明の詳細な説明】
【技術分野】
【０００１】
本発明は、取引装置に関し、例えば、ユーザとの間で紙幣等の媒体を取引する現金自動預払機（ＡＴＭ）等に適用し得るものである。
【背景技術】
【０００２】
従来、ＡＴＭは、紙幣が投入された接客部で紙幣を１枚ずつ分離し、鑑別部において、投入紙幣を１枚ずつ鑑別する処理が行われている。そして、ＡＴＭは、正常券（真券）をＥｓｃｒｏｗ部（一時保留部）に一時保留し、偽券や不明券等のリジェクト（以下、単に「ＲＪ」とも呼ぶ）券を、接客部に搬送し、接客部内の未分離紙幣の後続に集積する。
【０００３】
ここで、ＲＪ券は、元々接客部内に存在した紙幣が全て分離された後も、接客部に残留する。そのため、入金取引において、ＲＪが発生すると、接客部に搬送されたＲＪ紙幣が再度分離され、紙幣の分離が半永久的に継続することになる。
【０００４】
上記事象を回避するため、ＡＴＭには、鑑別部で紙幣の記番号を記録し、入金中に一度鑑別した記番号と同じ記番号を検出した場合には、接客部内に元々あった紙幣は全て分離し、後続のＲＪ券を再度分離していると考え、接客部内の分離を終了する検知方式が導入されている（例えば、特許文献１参照）。
【先行技術文献】
【特許文献】
【０００５】
【特許文献１】特開２００５−１６５５０３号公報
【発明の概要】
【発明が解決しようとする課題】
【０００６】
しかしながら、紙幣入金時に、粗悪紙幣や偽造券が投入されると、ＲＪが多発する場合があり、従来のＡＴＭでは、投入された紙幣を全て分離するまで入金を停止しないため、ＲＪが多発する場合でも入金を途中で停止できなかった。
【０００７】
ＲＪが多発する場合とは、偽造券の投入が想定され、粗悪紙幣によるＪＡＭが発生する可能性もあるため、このような問題のある入金取引によって、ＡＴＭが占有されてしまうことは、効率的にＡＴＭを稼働させているとは言えなかった。
【０００８】
そのため、効率的に装置を稼働できる取引装置が望まれている。
【課題を解決するための手段】
【０００９】
第１の本発明の取引装置は、（１）複数の紙幣を鑑別する鑑別部と、（２）前記鑑別部による鑑別結果を基に、各紙幣に対しリジェクトエラーが発生したか否かを判断する判断部と、（３）前記リジェクトエラーのエラー回数をカウントするカウント部と、（４）前記カウント部によりカウントされるエラー回数に対してエラー回数の上限値を設定する設定部と、（５）前記エラー回数と、前記エラー回数の上限値とを比較し、前記エラー回数が、前記エラー回数の上限値を超えたとき、紙幣の入出金を伴う所定の処理を完了させるか否かをユーザに選択させ、前記ユーザから前記所定の処理の完了を受け付けた場合には、リジェクト紙幣以外の正常紙幣に関して前記所定の処理を完了させ、一方、前記ユーザから前記所定の処理の中止を受け付けた場合には、前記所定の処理を中止させる制御を行う制御部とを有することを特徴とする。
【００１０】
第２の本発明の取引装置は、（１）複数の紙幣を鑑別する鑑別部と、（２）前記鑑別部による鑑別結果を基に、各紙幣に対しリジェクトエラーが発生したか否かを判断する判断部と、（３）前記リジェクトエラーが発生した各紙幣の記番号を記憶するリジェクト紙幣記番号記憶部と、（４）前記鑑別部により鑑別した紙幣の記番号が前記リジェクト紙幣記番号記憶部に記憶した各紙幣の記番号と一致したときには、前記所定の処理を完了させる制御を行う制御部とを有することを特徴とする。
【発明の効果】
【００１１】
本発明によれば、効率的に装置を稼働できる。
【図面の簡単な説明】
【００１２】
【図１】第１の実施形態に係るＡＴＭの制御系の構成を示すブロック図である。
【図２】第１の実施形態に係るＡＴＭの外観構成を示す外観斜視図である。
【図３】第１の実施形態に係る紙幣入出金部の詳細構成を示すブロック図である。
【図４】第１の実施形態に係る記番号データの構造を示す説明図である。
【図５】第１の実施形態に係るＡＴＭ（紙幣入出金部）の内部構成を示す内部構成図である。
【図６】第１の実施形態に係るＡＴＭ（紙幣入出金部）で入金取引が行われる際の動作について示したフローチャートである。
【図７】第２の実施形態に係るＲＪ上限値を設定する保守操作画面の一例（その１）を示す説明図である。
【図８】第３の実施形態に係る紙幣入出金部の詳細構成を示すブロック図である。
【図９】第３の実施形態に係るＡＴＭ（紙幣入出金部）で入金取引が行われる際の動作について示したフローチャートである。
【図１０】第３の実施形態に係るＲＪ上限値と、連続ＲＪ上限値とを設定する保守操作画面の一例（その２）を示す説明図である。
【発明を実施するための形態】
【００１３】
（Ａ）第１の実施形態
以下、本発明による取引装置の第１の実施形態を、図面を参照しながら詳述する。この実施形態では、本発明の取引装置をＡＴＭに適用した例について説明する。
【００１４】
（Ａ−１）第１の実施形態の構成
図２は、第１の実施形態に係るＡＴＭの外観構成を示す外観斜視図である。図２において、第１の実施形態のＡＴＭ１は、その前側に顧客が対峙した状態で紙幣の投入やタッチパネルによる操作等をしやすい箇所に接客部３が設けられている。
【００１５】
接客部３は、顧客との間で現金や通帳等を直接やり取りすると共に、取引に関する情報の通知や操作指示の受付を行うようになされており、カード入出口１１、通帳入出口１２、紙幣入出口１３、硬貨入出口１４、操作表示部１５及び明細票排出口１６を有する。
【００１６】
カード入出口１１は、顧客がキャッシュカードを挿入したり又はキャッシュカードを取り出したりするものである。
【００１７】
通帳入出口１２は、顧客が通帳を挿入したり又は通帳を取り出したりするものである。
【００１８】
紙幣入出口１３は、顧客が紙幣を挿入したり又は紙幣を取り出したりするものである。紙幣入出口１３は、例えば、開閉可能な開閉体を有するバケットタイプのものを用いることができる。顧客が紙幣を投入するときには、顧客はバケットの開口部に紙幣を投入し、その後ＡＴＭ１は、開閉体が閉じて投入された紙幣を取り込む。またＡＴＭ１が紙幣を返却するときには、ＡＴＭ１はバケットに紙幣を繰り出し、その後、開閉体が開放する。
【００１９】
硬貨入出口１４は、顧客が硬貨を投入したり又は硬貨を取り出したりするものである。硬貨入出口１４も、例えば、開閉可能なバケットタイプのものを用いることができる。この場合も、紙幣入出口１３と同様に、顧客が硬貨を投入するときには、顧客はバケットの開口部に硬貨を投入し、その後ＡＴＭ１は、開閉体を閉じて投入された硬貨を取り込む。またＡＴＭ１が硬貨を返却するときには、ＡＴＭ１はバケットに硬貨を繰り出し、その後、開閉体が開放する。
【００２０】
操作表示部１５は、例えば、取引種類の選択メニュー画面、各取引の操作画面、取引内容の確認画面等を表示したり、顧客が入力した入力情報を取り込んだりするものである。操作表示部１５は、例えば、タッチパネル方式の操作表示部を適用することができる（この実施形態では、タッチパネル方式で構成されているものとする）。なお、操作表示部１５は、操作部と表示部とが一体となったタッチパネル方式のものに限らず、操作部と表示部とがそれぞれ物理的に別の構成のものであってもよい。
【００２１】
明細票排出口１６は、取引内容を印刷した明細票（レシート）を排出するものである。
【００２２】
図１は、第１の実施形態に係るＡＴＭの制御系の構成を示すブロック図である。図１において、ＡＴＭ１は、制御部２１、操作表示制御部２２、カード処理部２３、紙幣入出金部２４、硬貨入出金部２５、通帳処理部２６、明細票発行部２７及び記録部２８を有する。
【００２３】
制御部２１は、図示しないＣＰＵ（Ｃｅｎｔｒａｌ  Ｐｒｏｃｅｓｓｉｎｇ  Ｕｎｉｔ）を中心に構成されており、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、記録部２８から所定のプログラムを読み出して実行することにより、各部を制御して入金取引、収納処理や出金取引等の種々の処理を行う。
【００２４】
記録部２８は、制御部２１が実行する処理プログラム等を記憶するものあり、例えば、フラッシュメモリやＨＤＤ等により構成される。
【００２５】
操作表示制御部２２は、制御部２１の制御の下、操作表示部１５の動作を制御するものである。操作表示制御部２２は、制御部２１から画面情報に基づいて、操作表示部１５に画面を表示させたり、又は操作表示部１５から入力された情報を制御部２１に与えたりするものである。
【００２６】
カード処理部２３は、制御部２１の制御の下、カード入出口１１からキャッシュカードを取り込んだり又は排出したりするものである。また、カード処理部２３は、カード入出口１１から挿入されたキャッシュカードの格納部（例えば、磁気格納部やＩＣチップ等）に格納されているカード情報を読み取り、そのカード情報を制御部２１に与えるものである。
【００２７】
紙幣入出金部２４は、制御部２１の制御の下、紙幣を金種別に収納・管理するものである。
【００２８】
硬貨入出金部２５は、制御部２１の制御の下、硬貨を金種別に収納・管理するものである。
【００２９】
通帳処理部２６は、制御部２１の制御の下、通帳入出口１２から通帳を取り込んだり又は排出したりするものである。また、通帳処理部２６は、通帳入出口１２から挿入された通帳の格納部（例えば、磁気データ格納部やＩＣチップ等）に格納されている通帳情報（例えば、磁気ストライプデータ）を読み取り、その通帳情報を制御部２１に与えるものである。
【００３０】
明細票発行部２７は、制御部２１の制御の下、取引明細票に取引結果を印刷して、明細票排出口１６から発行（排出）を行うものである。
【００３１】
次に、紙幣入出金部２４について、より詳細に説明を行う。
【００３２】
図３は、第１の実施形態に係る紙幣入出金部の詳細構成を示すブロック図である。
【００３３】
図３において、紙幣入出金部２４は、先述の紙幣入出口１３と、この紙幣入出口１３に受け入れた紙幣を１枚ずつ分離して、紙幣の金種、記番号等を鑑別する鑑別部３０２と、この鑑別部３０２で鑑別された紙幣を集積して一時保留するＥｓｃｒｏｗ部３０３と、入金紙幣を金種別に収納する着脱可能なカセット構造のリサイクル庫３０４と、損傷の程度が大きい紙幣等（再利用すべきではない紙幣）を収納する入金庫３０５と、各部を統括制御する紙幣入出金制御部３１０とを有して構成される。
【００３４】
鑑別部３０２は、内部に光学センサ、イメージセンサや磁気センサ等の各種センサを有しており、その内部で紙幣を搬送しながら、各センサによる鑑別結果を得て紙幣入出金制御部３１０へ供給する。これに応じて紙幣入出金制御部３１０は、鑑別部３０２において正常と鑑別された紙幣（いわゆる真券）をＥｓｃｒｏｗ部３０３へ搬送する等して一時的に保留させる一方、取引すべきでないと鑑別された紙幣（いわゆる損券や偽券等）を紙幣入出口１３へ搬送して顧客に返却する制御を行う。
【００３５】
紙幣入出金制御部３１０は、鑑別部３０２で偽券又は不明券と判別し、接客部３（紙幣入出口１３）に戻した紙幣の記番号等を記録したデータ（以下、「記番号データ」とも呼ぶ）を保持する。
【００３６】
図４は、第１の実施形態に係る記番号データの構造を示す説明図である。図４において、記番号データＤは、記録した日付を示す「日付」と、記録した時間（時刻）を示す「時間」と、ＡＴＭ１内で行った取引内容を示す「取引」と、紙幣の記番号を示す「記番号」を項目として有する。なお、図４では、記番号データＤは、各項目が入力されたデータを５件保持する例を示している。
【００３７】
図５は、第１の実施形態に係るＡＴＭ（紙幣入出金部）の内部構成を示す内部構成図である。図５では、先述の図３で示した構成に加えて、紙幣入出金部２４内の各部（紙幣入出口１３、鑑別部３０２、Ｅｓｃｒｏｗ部３０３、リサイクル庫３０４及び入金庫３０５）への紙幣の搬送を示す搬送路３０７が示されている。
【００３８】
次に、紙幣入出金部２４（紙幣入出金制御部３１０）が、紙幣のリジェクト（ＲＪ）回数を管理し、このＲＪ回数に応じて入金の制御を行う仕組みを説明する。
【００３９】
紙幣入出金制御部３１０は、現在のＲＪ回数を示すＲＪカウンタＣ１と、ＲＪ回数の上限値を示すＲＪ上限値Ｍ１とを有する。ＲＪカウンタＣ１は、入金取引開始前に初期値として「０」が設定され、鑑別部３０２で、投入紙幣が紙幣入出口１３へ戻すリジェクト紙幣（偽券又は不明券）と鑑定される度に、インクリメントされる。ＲＪ上限値Ｍ１は、所定の固定値(例えば、１５)が予め設定される。
【００４０】
紙幣入出金制御部３１０は、鑑別部３０２において投入紙幣が鑑定されるごとに、現在のＲＪカウンタＣ１と、ＲＪ上限値Ｍ１との比較を行う。そして、紙幣入出金制御部３１０は、ＲＪカウンタＣ１がＲＪ上限値Ｍ１を超えた場合には、これまで入金した金額を、操作表示部１５に表示して、ユーザ操作（入金するか否かを選択）に応じて入金取引を終了する。なお、入金する場合には、リジェクト紙幣及び未分離（未鑑定）の紙幣は、紙幣入出口１３から返却される。
【００４１】
一方、紙幣入出金制御部３１０は、ＲＪカウンタＣ１がＲＪ上限値Ｍ１以下の場合には、入金取引を続行する。そして、紙幣入出金制御部３１０は、全ての紙幣の鑑定が終了した場合には、先と同様に、入金した金額を、操作表示部１５に表示して、ユーザ操作（入金するか否かを選択）に応じて入金取引を終了する。
【００４２】
（Ａ−２）第１の実施形態の動作
次に、以上のような構成を有する第１の実施形態のＡＴＭ１の動作を説明する。
【００４３】
図６は、第１の実施形態に係るＡＴＭ（紙幣入出金部）で入金取引が行われる際の動作について示したフローチャートである。以下、ＡＴＭ１（紙幣入出金部２４）は、ユーザにより所定枚数の紙幣が接客部３（紙幣入出口１３）に投入され、入金取引の開始を受け付けたものとする。
【００４４】
紙幣入出金部２４（紙幣入出金制御部３１０）は、ＲＪカウンタＣ１をリセットする（ＲＪカウンタＣ１に「０」を設定する）（Ｓ１０）。
【００４５】
紙幣入出金制御部３１０は、接客部３（紙幣入出口１３）から紙幣を１枚分離して、鑑別部３０２に搬送するよう制御を行う（Ｓ１１）。
【００４６】
鑑別部３０２は、紙幣入出口１３から搬送された投入紙幣の真偽鑑定を行う（Ｓ１２）。また、鑑別部３０２は、紙幣の記番号を識別する（Ｓ１３）。
【００４７】
紙幣入出金制御部３１０は、鑑別部３０２における鑑定結果に応じて、投入紙幣が入金可能か否か判定を行う（Ｓ１４）。紙幣入出金制御部３１０は、投入紙幣が、真券の場合には次のステップＳ１５の処理を実行し、偽券又は不明券の場合には後述するステップＳ１６の処理を実行する。
【００４８】
紙幣入出金制御部３１０は、ステップＳ１４の処理において、投入紙幣が入金可能と判定された場合には、投入紙幣をＥｓｃｒｏｗ部３０３へ搬送するよう制御を行う（Ｓ１５）。そして、紙幣入出金制御部３１０は、先述のステップＳ１１から次の紙幣の入金処理を実行する。
【００４９】
一方、紙幣入出金制御部３１０は、ステップＳ１４の処理において、投入紙幣が入金不可と判定された場合には、接客部３（紙幣入出口１３）へ投入紙幣を搬送するよう制御を行う（Ｓ１６）。なお、入金不可の紙幣（リジェクト紙幣）は、紙幣入出口１３に積まれている投入紙幣の最後尾に戻される。
【００５０】
紙幣入出金制御部３１０は、先述のステップＳ１３の処理で識別した投入紙幣の記番号に基づくデータが、記番号データＤ（図４）に存在するか否か判定を行う（Ｓ１７）。紙幣入出金制御部３１０は、同一の記番号のデータが存在しない場合には、次のステップＳ１８の処理を実行する。一方、紙幣入出金制御部３１０は、同一記番号のデータが存在する場合には、入金処理を終了する。この場合、投入紙幣の最後尾に戻された紙幣を再鑑定（一巡）したことにより、紙幣入出金制御部３１０は、投入紙幣を全て処理したことになるからである。
【００５１】
紙幣入出金制御部３１０は、先述のステップＳ１７の処理において、同一の記番号のデータが存在しない場合には、ＲＪカウンタＣ１をインクリメントする（Ｓ１８）。
【００５２】
紙幣入出金制御部３１０は、ＲＪカウンタＣ１とＲＪ上限値Ｍ１（この例では、「１５」が予め設定）との比較を行う（Ｓ１９）。そして、紙幣入出金制御部３１０は、ＲＪカウンタＣ１が上限値Ｍを超えた場合には、入金処理を終了する。
【００５３】
一方、紙幣入出金制御部３１０は、ＲＪカウンタＣ１がＲＪ上限値Ｍ１以下の場合には、識別した記番号に基づくデータを記番号データＤに追加する（Ｓ２０）。
【００５４】
なお、先述のステップＳ１９の処理でＲＪカウンタＣ１がＲＪ上限値Ｍ１を超えて終了した場合も、既存の技術と同じく、紙幣入出金制御部３１０は、操作表示部１５を介したユーザ指示により入金を受け付け、Ｅｓｃｒｏｗ部３０３に一時保留した紙幣をリサイクル庫３０４又は入金庫３０５に搬送する。また、ＡＴＭ１は、接客部３（紙幣入出口１３）に積載された未鑑定の紙幣と、リジェクト紙幣とをユーザに返却する。
【００５５】
（Ａ−３）第１の実施形態の効果
第１の実施形態によれば、紙幣入出金制御部３１０が、現在のリジェクト回数（入金不可の紙幣の枚数）をカウントするＲＪカウンタＣ１と、リジェクト回数の上限を示すＲＪ上限値Ｍ１とを有し、紙幣を１枚ずつ鑑定する度に、ＲＪカウンタＣ１とＲＪ上限値Ｍ１とを比較する。そして、紙幣入出金制御部３１０は、上限を超えたＲＪが発生した場合には入金を終了するため、偽造券の投入や、粗悪紙幣によるＪＡＭが発生する可能性のあるＲＪ多発時には、入金を中断することができる。これにより、ＡＴＭ１は、問題のある入金取引を排除し、ＡＴＭの稼働率を上昇させることができる。
【００５６】
（Ｂ）第２の実施形態
以下、本発明による取引装置の第２の実施形態を、図面を参照しながら詳述する。この実施形態では、本発明の取引装置をＡＴＭに適用した例について説明する。
【００５７】
（Ｂ−１）第２の実施形態の構成
第２の実施形態のＡＴＭ１の構成についても、第１の実施形態と同様に図１〜図５を用いて示すことができる。
【００５８】
以下では、第２の実施形態のＡＴＭ１の構成について、第１の実施形態との差異を中心に説明する。
【００５９】
第１の実施形態のＲＪ上限値Ｍ１（紙幣入出金制御部３１０が保持）は固定値であった。一方、第２の実施形態のＲＪ上限値Ｍ１は変動値である。第２の実施形態のＲＪ上限値Ｍ１の設定は、例えば、ＡＴＭ１の操作表示部１５を介して行っても良いし、ＡＴＭ１を管理する管理装置（ホストサーバ等）を介して行っても良い。
【００６０】
（Ｂ−２）第２の実施形態の動作
次に、第２の実施形態に係るＡＴＭ１の動作を説明する。
【００６１】
第２の実施形態のＡＴＭ１の動作も、第１の実施形態と同様に図６を用いて説明することができる。ただし、第２の実施形態のステップＳ１９の処理で用いるＲＪ上限値Ｍ１は、第１の実施形態のＲＪ上限値Ｍ１（「１５」固定）とは異なり、変動値である。以下では、変動値のＲＪ上限値Ｍ１を設定する例について説明を行う。
【００６２】
図７は、ＲＪ上限値Ｍ１を設定する保守操作画面の一例を示す説明図である。保守操作画面４０１は、ＲＪ上限値Ｍ１の設定値を示す表示部４０２と、ＲＪ上限値Ｍ１の設定値を１加算するプラスボタン４０３と、ＲＪ上限値Ｍ１の設定値を１減算するマイナスボタン４０４とを有する。ＡＴＭ１を管理する保守員は、操作表示部１５に表示された保守操作画面４０１のプラスボタン４０３と、マイナスボタン４０４を押下することにより、自由にＲＪ上限値Ｍ１の設定を行うことができる。
【００６３】
（Ｂ−３）第２の実施形態の効果
第２の実施形態によれば、第１の実施形態と同様の効果を奏することができる。また、第２の実施形態では、保守員によりＲＪ回数の上限値（ＲＪ上限値Ｍ１）を自由に設定できるため、第１の実施形態に比べて、より柔軟にＡＴＭ１の運用を行うことができる。
【００６４】
（Ｃ）第３の実施形態
以下、本発明による取引装置の第３の実施形態を、図面を参照しながら詳述する。この実施形態では、本発明の取引装置をＡＴＭに適用した例について説明する。
【００６５】
一般に、ＡＴＭでは、粗悪紙幣による入金ＪＡＭが発生するパターンとして、入金時における分離で紙幣にスキューが発生し、そのスキューがだんだん大きくなりＪＡＭが発生することが考えられる。そのため、ＡＴＭの入金ＪＡＭのパターンとして、紙幣が分離不良などといった走行系の理由によってＲＪされたこと(走行ＲＪ)が連続することが挙げられる。第３の実施形態のＡＴＭ１は、このような連続する走行ＲＪの問題も考慮に入れた実施形態である。
【００６６】
（Ｃ−１）第３の実施形態の構成
第３の実施形態のＡＴＭ１の構成についても、第１の実施形態と同様に図１、２、４、５を用いて示すことができる。
【００６７】
以下では、第３の実施形態のＡＴＭ１の構成について、第１の実施形態との差異を中心に説明する。
【００６８】
図８は、第３の実施形態に係る紙幣入出金部の詳細構成を示すブロック図である。図８において、紙幣入出金部２４Ａは、第１の実施形態の紙幣入出金部２４(図３)と同様に、紙幣入出口１３と、鑑別部３０２と、Ｅｓｃｒｏｗ部３０３と、リサイクル庫３０４と、入金庫３０５と、及び紙幣入出金制御部３１０とを有する。ただし、第３の実施形態の紙幣入出金制御部３１０は、第１の実施形態と異なり、現在の連続ＲＪ回数をカウントする連続ＲＪカウンタＣ２と、連続ＲＪ回数の上限値を示す連続ＲＪ上限値Ｍ２とを有する。なお、この連続ＲＪ上限値Ｍ２の設定は、第２の実施形態と同様に、例えば、ＡＴＭ１の操作表示部１５を介して行っても良いし、ＡＴＭ１を管理する管理装置（ホストサーバ等）を介して行っても良い。
【００６９】
（Ｃ−２）第３の実施形態の動作
次に、第３の実施形態に係るＡＴＭ１の動作を説明する。
【００７０】
図９は、第３の実施形態に係るＡＴＭ（紙幣入出金部）で入金取引が行われる際の動作について示したフローチャートである。図９において、図６のフローチャートと同一符号の処理内容は、図６と同様であるので、その説明を省略する。
【００７１】
紙幣入出金制御部３１０は、連続ＲＪカウンタＣ２をリセットする（「０」に設定）する（Ｓ３０）。
【００７２】
紙幣入出金制御部３１０は、ステップＳ１６〜ステップＳ１９の処理実行後に、ステップＳ３１に遷移した場合には、紙幣のＲＪが１回起きている状態であるので、連続ＲＪカウンタＣ２をインクリメントする（Ｓ３１）。
【００７３】
次に、紙幣入出金制御部３１０は、連続ＲＪカウンタＣ２と連続ＲＪ上限値Ｍ２との比較を行う（Ｓ３２）。そして、紙幣入出金制御部３１０は、連続ＲＪカウンタＣ２が連続ＲＪ上限値Ｍ２を超えた場合には、入金処理を終了する。一方、紙幣入出金制御部３１０は、連続ＲＪカウンタＣ２が連続ＲＪ上限値Ｍ２以下の場合には、先述のステップＳ２０の処理に遷移する。
【００７４】
また、第３の実施形態では、先述のステップＳ１４の処理において、投入紙幣が入金可能と判定した場合には、リジェクトが連続して起こっていない状態でもあるので、連続ＲＪカウンタＣ２をリセット（「０」に設定）する（Ｓ３３）。
【００７５】
次に、連続ＲＪ上限値Ｍ２を設定する例について説明を行う。
【００７６】
図１０は、ＲＪ上限値Ｍ１と、連続ＲＪ上限値Ｍ２とを設定する保守操作画面の一例を示す説明図である。保守操作画面４１１は、ＲＪ上限値Ｍ１の設定値を示す表示部４０２と、ＲＪ上限値Ｍ１の設定値を１加算するプラスボタン４０３と、ＲＪ上限値Ｍ１の設定値を１減算するマイナスボタン４０４と、連続ＲＪ上限値Ｍ２の設定値を示す表示部４１２と、連続ＲＪ上限値Ｍ２の設定値を１加算するプラスボタン４１３と、連続ＲＪ上限値Ｍ２の設定値を１減算するマイナスボタン４１４とを有する。ＡＴＭ１を管理する保守員は、操作表示部１５に表示された保守操作画面４１１のプラスボタン４１３と、マイナスボタン４１４を押下することにより、自由に連続ＲＪ上限値Ｍ２の設定を行うことができる。
【００７７】
（Ｃ−３）第３の実施形態の効果
第３の実施形態によれば、第１、２の実施形態と同様の効果を奏することができる。また、紙幣入出金制御部３１０が、現在の連続リジェクト回数（入金不可の紙幣の枚数）をカウントする連続ＲＪカウンタＣ２と、連続リジェクト回数の上限を示す連続ＲＪ上限値Ｍ２とを有し、紙幣を１枚ずつ鑑定する度に、連続ＲＪカウンタＣ２と連続ＲＪ上限値Ｍ２とを比較する。そして、紙幣入出金制御部３１０は、上限を超えた連続ＲＪが発生した場合には入金を終了するため、第１、２の実施形態に比べて、通常の取引に影響なく、ＪＡＭが発生しそうな取引のみ入金を中断ことができる。
【００７８】
（Ｄ）他の実施形態
本発明は、上記の各実施形態に限定されるものではなく、以下に例示するような変形実施形態も挙げることができる。
【００７９】
（Ｄ−１）上記の各実施形態では、本発明の取引装置をＡＴＭ１に適用する例について説明したが、これに限らず、例えば、ＣＤ（Ｃａｓｈ  Ｄｉｓｐｅｎｓｅｒ）、ＶＴＭ（Ｖｉｄｅｏ  Ｔｅｌｌｅｒ  Ｍａｃｈｉｎｅ）、発券機、現金処理機等の種々様々な装置に適用することができる。
【００８０】
（Ｄ−２）上記の各実施形態では、現金の入金を伴う入金取引を行う例を挙げて、本発明の取引装置をＡＴＭ１に適用する例について説明したが、これに限らず、例えば、出金取引においても、本発明の技術的思想を適用することができる。
【００８１】
（Ｄ−３）上記の各実施形態では、リジェクトが多発した場合（例えば、ステップＳ１０９の処理で、ＲＪカウンタＣ１がＲＪ上限値Ｍ１を超えた場合）には、接客部３（紙幣入出口１３）にＲＪ紙幣を返却して入金取引を終了していた。変形例として、ＡＴＭ１（紙幣入出金制御部３１０）は、上記のような場合でも、入金取引を終了するのでは無く、当該ＲＪ紙幣を再度分離、認識し、正常券（真券）の場合には、正常券として受け付ける「入金リトライ処理」（例えば、図６のフローチャートの再処理）を行っても良い。ＡＴＭ１は、この入金リトライ処理により入金受付率を向上させることができる。ＡＴＭ１（紙幣入出金制御部３１０）は、例えば、入金リトライ処理の上限値（例えば、２回）を設定し、この上限値内であれば、入金リトライ処理を受け付ける構成としても良い。なお、この入金リトライ処理の上限値の設定は、顧客により操作表示部１５を介して、その都度設定しても良いし、ＡＴＭ１を管理する保守員により予め設定されても良い。また、ＡＴＭ１は、この入金リトライ処理自体を行うか否かの設定を保守員により予め設定できるようにしても良い。さらに、入金リトライ処理の上限値の設定及び入金リトライ処理自体を行うか否かの設定は、ＡＴＭ１を管理する管理装置（ホストサーバ等）を介して行っても良い。なお、リトライ処理自体を行うか否かの設定は、再処理設定手段の一例である。
【符号の説明】
【００８２】
１…ＡＴＭ、３…接客部、１１…カード入出口、１２…通帳入出口、１３…紙幣入出口、１４…硬貨入出口、１５…操作表示部、１６…明細票排出口、２１…制御部、２２…操作表示制御部、２３…カード処理部、２４、２４Ａ…紙幣入出金部、２５…硬貨入出金部、２６…通帳処理部、２７…明細票発行部、２８…記録部、３０２…鑑別部、３０３…Ｅｓｃｒｏｗ部、３０４…リサイクル庫、３０５…入金庫、３０７…搬送路、３１０…紙幣入出金制御部、Ｃ１…ＲＪカウンタ、Ｃ２…連続ＲＪカウンタ、Ｍ１…ＲＪ上限値、Ｍ２…連続ＲＪ上限値。
【図１】
0006728712.tif 000002
【図２】
0006728712.tif 000003
【図３】
0006728712.tif 000004
【図４】
0006728712.tif 000005
【図５】
0006728712.tif 000006
【図６】
0006728712.tif 000007
【図７】
0006728712.tif 000008
【図８】
0006728712.tif 000009
【図９】
0006728712.tif 000010
【図１０】
0006728712.tif 000011